(57)【要約】【課題】ユーザによって把持されて使用される情報コード読取装置において、放音孔をケース下面側且つ長手方向中央寄りに配置する構成を採用しつつ、ユーザが放音孔を塞ぎにくい構成を実現する。【解決手段】情報コード読取装置１は、ケース２の下面部２ｂにおいて読取口３よりも長手方向中央側の位置に、スピーカ４４からの音を放散する放音部５０が形成され、この放音部５０には、スピーカ４４の収容領域とケース２外部とを連通し且つケース２の下面側に開口端部６０ａが形成されてなる放音孔６０が設けられている。更に、放音孔６０の開口端部６０ａよりも下方に突出した構成でリブ状の複数の突起部７０が設けられ、複数の突起部７０の突起部７０間には、放音孔６０の開口端部６０ａからケース２の下面部２ｂに沿って延び且つ開口端部６０ａの下方から外れた位置で溝内外が連通するように誘導溝９０が形成されている。【選択図】図１１
2014006724.tif 000002
【特許請求の範囲】
【請求項１】
所定方向を長手方向とする構成で長手状に構成されると共に、前記長手方向の一端側に読取口が形成されたケースと、
前記ケース内に収容され、前記読取口を介して情報コードを撮像する撮像手段と、
前記撮像手段によって撮像された前記情報コードを読み取る読取手段と、
前記ケース内に収容される音発生部と、
を備え、
前記ケースにおいて前記長手方向と直交する所定の厚さ方向の一方面側を上面側とし、他方面側を下面側としたとき、当該ケースの下面部において前記読取口よりも前記長手方向中央側の位置に、前記音発生部からの音を放散する放音部が形成されており、
前記放音部は、
前記ケース内における前記音発生部の収容領域と前記ケースの外部とを連通する構成をなし、且つ前記ケースの下面側に開口端部が形成されてなる放音孔と、
前記放音孔の前記開口端部よりも下方に突出した構成でリブ状に配される複数の突起部と、を備え、
前記複数の突起部の突起部間には、前記放音孔の前記開口端部から前記ケースの下面部に沿って延び且つ前記開口端部の下方から外れた位置で溝内外が連通する誘導溝が形成されていることを特徴とする情報コード読取装置。
【請求項２】
前記ケースの下面部において、前記放音部の周囲に隣接した構成で所定の基準外面を有する周囲部が設けられ、
前記複数の突起部は前記周囲部の前記基準外面よりも下側に突出した形態をなし、
前記複数の突起部の突起部間には、前記基準外面よりも上方位置の段差面を有する段差部が溝状に形成されて前記誘導溝の一部を構成しており
前記放音孔は、前記開口端部が前記段差部の内部に形成されていることを特徴とする請求項１に記載の情報コード読取装置。
【請求項３】
前記長手方向を前後方向とし、前記厚さ方向及び前記前後方向と直交する方向を左右方向としたとき、前記ケースにおける前記放音部よりも前記読取口側には、前記放音部よりも下方位置に配される構造部が設けられ、
前記複数の突起部がそれぞれ左右に延び、前記誘導溝が左右に延びた構成で設けられていることを特徴とする請求項１又は請求項２に記載の情報コード読取装置。
【請求項４】
前記ケースの下面部において、前記放音部の周囲には所定の基準外面を有する周囲部が設けられ、
前記長手方向を前後方向とし、前記厚さ方向及び前記前後方向と直交する方向を左右方向としたとき、前記周囲部は、前方側となるにつれて下位置となるように傾斜して設けられており、
前記複数の突起部がそれぞれ左右に延び、前記誘導溝が左右に延びた構成で設けられていることを特徴とする請求項１から請求項３のいずれか一項に記載の情報コード読取装置。
【請求項５】
前記放音孔の前記開口端部は、前記誘導溝の溝方向に沿って長い長孔形状となっており、
前記溝方向における前記開口端部の幅は、前記誘導溝の溝幅よりも大きくなっていることを特徴とする請求項１から請求項４のいずれか一項に記載の情報コード読取装置。
【請求項６】
前記ケースには、前記放音部の下方を覆う構成で、ハンドストラップが設けられており、
前記ハンドストラップは、前記長手方向における前記放音部よりも前記読取口側において一端側が前記ケースに取り付けられ、前記長手方向における前記放音部よりも前記読取口から離れた側において他端側が前記ケースに取り付けられる形態で長手状に構成されていることを特徴とする請求項１から請求項５のいずれか一項に記載の情報コード読取装置。
【発明の詳細な説明】
【技術分野】
【０００１】
本発明は、情報コード読取装置に関するものである。
【背景技術】
【０００２】
バーコードリーダや二次元コードリーダ等の情報コード読取装置では、情報コードの読み取り成否やその他の情報を報知するためにスピーカなどの発音手段を設けている。スピーカは電気部品であるため、一般的にはケース内に収容する形で配置しており、スピーカからの音は、ケースに形成された放音孔（音孔）を介して外部に放散させている。スピーカからの音の放散に関する技術としては特許文献１のようなものが提供されている。
【先行技術文献】
【特許文献】
【０００３】
【特許文献１】特開２００７−６７６３２公報
【発明の概要】
【発明が解決しようとする課題】
【０００４】
ところで、バーコードリーダや二次元コードリーダ等の情報コード読取装置では、上面部側に表示部や操作ボタンなどが配置されることが多く、これらの配置スペースを考慮するとスピーカや放音孔は下面側に配置することが望ましい。また、装置を把持して使用することを想定すると、操作性を考慮して読取口を長手方向一端側に配置することが望ましく、これらの事情に鑑みると、スピーカや放音孔はケースの下面側且つ読取口よりも長手方向中央寄りに配置すべきである。しかしながら、このような位置にスピーカや放音孔を配置すると、部品配置上のメリットは享受できるものの、ユーザがケースを把持して操作する際に、ケースを持つユーザの手が放音孔を塞ぎやすいという問題が生じ、その結果、外部に放出される音量が低減し、スピーカからの報知内容が聞こえにくくなる等の不具合を招いてしまう。
【０００５】
本発明は、上述した課題を解決するためになされたものであり、ユーザによって把持されて使用される情報コード読取装置において、放音孔をケース下面側且つ長手方向中央寄りに配置する構成を採用しつつ、ユーザが放音孔を塞ぎにくい構成を実現することを目的とする。
【課題を解決するための手段】
【０００６】
上記課題を解決するため、本発明は、
所定方向を長手方向とする構成で長手状に構成されると共に、前記長手方向の一端側に読取口が形成されたケースと、
前記ケース内に収容され、前記読取口を介して情報コードを撮像する撮像手段と、
前記撮像手段によって撮像された前記情報コードを読み取る読取手段と、
前記ケース内に収容される音発生部と、
を備え、
前記ケースにおいて前記長手方向と直交する所定の厚さ方向の一方面側を上面側とし、他方面側を下面側としたとき、当該ケースの下面部において前記読取口よりも前記長手方向中央側の位置に、前記音発生部からの音を放散する放音部が形成されており、
前記放音部は、
前記ケース内における前記音発生部の収容領域と前記ケースの外部とを連通する構成をなし、且つ前記ケースの下面側に開口端部が形成されてなる放音孔と、
前記放音孔の前記開口端部よりも下方に突出した構成でリブ状に配される複数の突起部と、を備え、
前記複数の突起部の突起部間には、前記放音孔の前記開口端部から前記ケースの下面部に沿って延び且つ前記開口端部の下方から外れた位置で溝内外が連通する誘導溝が形成されていることを特徴とする。
【発明の効果】
【０００７】
請求項１の発明では、ケースの下面部において読取口よりも長手方向中央側の位置に、音発生部からの音を放散する放音部が形成されており、この放音部には、音発生部の収容領域とケース外部とを連通する構成をなし且つケースの下面側に開口端部が形成されてなる放音孔が設けられている。このようにすることで、ケースの上面側等に放音部を設けずに済み、ケースの上面部側を他の機能部品を配置するスペースとして利用できる。
更に、放音孔の開口端部よりも下方に突出した構成でリブ状に配される複数の突起部が設けられ、複数の突起部の突起部間には、放音孔の開口端部からケースの下面部に沿って延び且つ開口端部の下方から外れた位置で溝内外が連通するように誘導溝が形成されている。この構成では、リブ状の突起部の頂部よりも奥まった位置に放音孔の開口端部が配置されるため、使用者が無意識にケースを把持したとしても、使用者の指等が突起部の頂部付近に当たりやすく、使用者の指等によって放音孔が塞がれてしまうといった事態を回避しやすくなる。また、放音孔の開口端部からケースの下面部に沿って延び且つ開口端部の下方から外れた位置で溝内外が連通するように誘導溝が形成されているため、使用者の指などが開口端部の下方位置に配されたとしても、放音孔からの音は誘導溝内を通り使用者の指から外れた位置で溝外に放出されるため、開口端部から放出された音が外部に抜けやすくなり、ひいては、音発生部からの報知内容がユーザに聞こえやすくなる。
【０００８】
請求項２の発明では、前記ケースの下面部において、前記放音部の周囲に隣接した構成で所定の基準外面を有する周囲部が設けられ、前記複数の突起部は前記周囲部の前記基準外面よりも下側に突出した形態をなしている。そして、前記複数の突起部の突起部間には、前記基準外面よりも上方位置の段差面を有する段差部が溝状に形成されて前記誘導溝の一部を構成しており、前記放音孔は、前記開口端部が前記段差部の内部に形成されている。
このように複数の突起部の起点となる基準外面よりも奥まった位置に溝状の段差部が構成され、この段差部内に放音孔の開口端部が配置されることで、ケースを把持する使用者の指等が放音孔の開口端部の位置まで一層届きにくくなり、使用者の指等が放音孔を塞ぐ可能性が一層低くなる。
【０００９】
請求項３の発明では、前記長手方向を前後方向とし、前記厚さ方向及び前記前後方向と直交する方向を左右方向としたとき、前記ケースにおける前記放音部よりも前記読取口側には、前記放音部よりも下方位置に配される構造部が設けられている。そして、前記複数の突起部がそれぞれ左右に延び、前記誘導溝が左右に延びた構成で設けられている。
このように、放音部よりも読取口側において下方側に膨出する構造部が設けられる構成では、放音部からの音をケース下面部に沿って読取口側に抜けさせようとすると音の放散が構造部によって阻害され、下方側（ユーザの耳から遠ざかる側）に向かってしまう虞がある。しかしながら、上記構成のように、複数の突起部を左右方向に延びるように構成し、誘導溝を左右に延びる構成とすると、放音孔から放出される音が構造部に阻害されずに誘導溝内を通って側方に回り込みやすくなり、よりユーザ側の耳に届きやすくなる。
【００１０】
請求項４の発明では、前記ケースの下面部において、前記放音部の周囲には所定の基準外面を有する周囲部が設けられ、前記長手方向を前後方向とし、前記厚さ方向及び前記前後方向と直交する方向を左右方向としたとき、前記周囲部は、前方側となるにつれて下位置となるように傾斜して設けられている。そして、前記複数の突起部がそれぞれ左右に延び、前記誘導溝が左右に延びた構成で設けられている。
このように、ケース下面部の所定部分（周囲部）が前方側となるにつれて下位置となるように傾斜している場合、この所定部分付近に設けられる誘導溝が周囲部の傾斜の影響を受けやすくなる。例えば、誘導溝の方向を前後方向とすると、誘導溝の溝方向も前方側となるにつれて下位置となるように傾斜することになり、誘導溝によって導かれる音（音発生手段からの音）が前方且つ下方に逃げやすくなってしまう。つまり、装置を把持して使用するユーザの顔から遠ざかる方向に音が逃げやすくなり、音が聞こえにくくなってしまう。これに対し、上記構成のように、誘導溝を左右に延びた構成とすることで、放音孔から放出される音が誘導溝内を通って側方に回り込みやすくなり、よりユーザ側の耳に届きやすくなる。
【００１１】
請求項５の発明では、前記放音孔の前記開口端部は、前記誘導溝の溝方向に沿って長い長孔形状となっており、前記溝方向における前記開口端部の幅は、前記誘導溝の溝幅よりも大きくなっている。
放音孔の開口を単純な円形とすると放音孔の開口サイズは誘導溝の溝幅によって制約されてしまうことになるが、上記のように構成することで、放音孔の開口サイズをより大きくすることができ、低音域の音を伝達する上で有利になる。特に、情報コード読取装置は、工場や店など、周囲がうるさく聞き取りにくい場所で使用されることも多いため、よく響く低音域の音を効率的に伝達しうる構成とすると、ユーザが報知内容を把握する上で非常に有利になる。
【００１２】
請求項６の発明では、前記ケースには、前記放音部の下方を覆う構成で、ハンドストラップが設けられている。そして、前記ハンドストラップは、前記長手方向における前記放音部よりも前記読取口側において一端側が前記ケースに取り付けられ、前記長手方向における前記放音部よりも前記読取口から離れた側において他端側が前記ケースに取り付けられる形態で長手状に構成されている。
ケース下面部に上記ハンドストラップを設けることで、ユーザがケースをより把持しやすくなり、誤って装置を落下させてしまう事態も抑えることができる。また、放音部とハンドストラップを敢えてずらして配置する必要がなく、ハンドストラップの上方に隠される領域を利用して放音部を効率的に配置することができる。一方、このように構成すると、ハンドストラップとケース下面部の間に挿入される手（ユーザの手）による音の遮断が懸念されるが、本発明では、複数の突起部及び誘導溝の存在により、放音孔を極力塞ぐことなく音をケース外に放散することができるため、上述のスペース的なメリットを享受しつつ音の遮断を抑えうる構成を実現できる。
【図面の簡単な説明】
【００１３】
【図１】図１は、本発明の第１実施形態に係る情報コード読取装置を概略的に例示する斜視図である。
【図２】図２は、図１の情報コード読取装置を斜め下方側から見た斜視図である。
【図３】図３は、図１の情報コード読取装置の電気的構成を概略的に例示するブロック図である。
【図４】図４は、図１の情報コード読取装置の平面図である。
【図５】図５は、図１の情報コード読取装置の底面図である。
【図６】図６は、図１の情報コード読取装置の左側面図である。
【図７】図７は、図１の情報コード読取装置の右側面図である。
【図８】図８は、図１の情報コード読取装置の背面図である。
【図９】図９は、図１の情報コード読取装置の正面図である。
【図１０】図１０は、図１の情報コード読取装置にハンドストラップを付けた構成を斜め下方側から見た斜視図である。
【図１１】図１１は、図５の一部を拡大して示す拡大図である。
【発明を実施するための形態】
【００１４】
[第１実施形態]
以下、本発明を具現化した第１実施形態について、図面を参照して説明する。
（全体構成）
まず、図１〜図３等を参照して本実施形態に係る情報コード読取装置の全体構成について説明する。図１、図２に示すように、本実施形態に係る情報コード読取装置１は、情報コードＱを読み取るコードリーダとして構成されるものであり、ケース２によって外郭が構成され、このケース２の内部に各種電子部品が収容された構成をなしている。
【００１５】
この情報コード読取装置１は、図３に示すように、主に、照明光源２１、受光センサ２３、フィルタ２５、結像レンズ２７等の光学系と、メモリ３５、制御回路４０、操作スイッチ４２、液晶表示器４６等のマイクロコンピュータ（以下「マイコン」という）系と、電源スイッチ４１、電池４９等の電源系と、から構成されている。なお、これらは、図略のプリント配線板に実装あるいはケース２内に内装されている。
【００１６】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケース２に形成された読取口３（図２等）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに情報コードＱが印刷、ダイレクトマーキングなどによって形成されている。なお、情報コードＱとしては、ＱＲコード（登録商標）、データマトリックスコード、マキシコード、Ａｚｔｅｃコード、ＨａｎＸｉｎコードなどの二次元コードであってもよく、バーコードなどの一次元コードであってもよい。
【００１７】
受光センサ２３は、読取対象物Ｒや情報コードＱに照射されて反射した反射光Ｌｒを受光可能に構成されるもので、例えば、Ｃ−ＭＯＳやＣＣＤ等の固体撮像素子である受光素子をライン状に配列したラインセンサ、或いはこれら受光素子を２次元に配列したエリアセンサなどによって構成されている。この受光センサ２３は、結像レンズ２７を介して入射する入射光を受光面２３ａで受光可能に図略のプリント配線板に実装されている。なお、本実施形態では、受光センサ２３が「撮像手段」の一例に相当し、ケース２内に収容されると共に読取口３から入射する光（情報コードＱからの反射光）によって情報コードＱを撮像するように機能する。
【００１８】
フィルタ２５は、反射光Ｌｒの波長相当以下の光の通過を許容し、当該波長相当を超える光の通過を遮断し得る光学的なローパスフィルタで、ケース２に形成された読取口３と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケース２に形成された読取口３に入射する反射光Ｌｒを集光し、受光センサ２３の受光面２３ａに情報コードＱのコード画像を結像可能に構成されている。
【００１９】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、スピーカ４４、液晶表示器４６、通信インタフェース４８等から構成されている。このマイコン系は、マイコン（情報処理装置）として機能し得る制御回路４０及びメモリ３５を中心として構成され、前述した光学系によって撮像された情報コードＱの画像信号をハードウェア的およびソフトウェア的に信号処理し得るものである。
【００２０】
光学系の受光センサ２３から出力される画像信号（アナログ信号）は、増幅回路３１に入力されることによりこの増幅回路３１にて所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２１】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００２２】
制御回路４０は、情報コード読取装置１全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示器４６、通信インタフェース４８等が接続されている。また、通信インタフェース４８には、情報コード読取装置１の上位システムに相当するホストコンピュータＨＳＴなどを接続できるようになっている。本実施形態では、制御回路４０が、「読取手段」の一例に相当し、受光センサ２３によって撮像された情報コードＱのコード画像に基づき、情報コードＱを公知の解読方法によって読み取るように機能している。
【００２３】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００２４】
（特徴的構成）
次に、本実施形態の特徴的構成について詳述する。
本実施形態に係る情報コード読取装置１は、図４〜図７に示すように、ケース２が所定方向を長手方向とする構成で長手状に構成されており、図２、図５、図９に示すように、ケース２の長手方向の一端側に読取口３が形成されている。この読取口３は、ケース２の内外を貫通する孔として構成されると共に幅方向に長い開口形状となっており、ケース２の外部からの光をケース２の内部に取り込むように機能している。
【００２５】
なお、本実施形態では、箱状に構成されるケース２の長手方向を前後方向とし、この前後方向と直交する所定の方向を上下方向とし、これら前後方向及び上下方向と直交する方向を左右方向とする。図４〜図９等の例では、箱状に構成されるケース２において、液晶表示器４６（表示部）及び操作スイッチ４２（操作部）が設けられる側の面を上面部２ａとし、ケース２において上面部２ａと対向する裏側の面を下面部２ｂとしており、これら上面部２ａと下面部２ｂとが対向する方向が上下方向となっている。そして、この上下方向がケース２の厚さ方向に相当している。また、この上下方向と直交する方向であって且つケース２の短手方向が左右方向となっており、この左右方向がケース２の幅方向に相当している。なお、図４〜図６では、前後方向をＸ方向とし、左右方向（幅方向）をＹ方向とし、上下方向（厚さ方向）をＺ方向とするように概念的に示している。
【００２６】
図２、図５のように、ケース２の長手方向一端部には前面壁として構成される前面部２ｃが設けられ、図１、図５、図６のように、長手方向他端部には後面壁として構成される後面部２ｄが設けられている。そして、この前面部２ｃを貫通する構成で、開口形状の読取口３が形成されており、この読取口３を塞ぐように透明板からなるカバー部材４が配されており、外部からの光は、カバー部材４を透過してケース２の内部に入り込むようになっている。また、図８に示すように、後面部２ｄには、外部との通信を行うためのコネクタ部７などが設けられている。
【００２７】
図１、図６のように、ケース２の左右方向一端部には左側面壁として構成される側面部２ｆが設けられ、図２、図７のように、左右方向他端部には右側面壁として構成される側面部２ｅが設けられている。図１、図６のように、側面部２ｆには、各種ボタンが露出した形態で配置されており、側面部２ｅにも各種ボタンが露出した形態で配置されている。
【００２８】
図４のように、ケース２の上面部２ａ側には、液晶表示器４６（表示部）及び操作スイッチ４２（操作部）が設けられており、図４のように情報コード読取装置１を平面視したときには、液晶表示器４６及び操作スイッチ４２が視認できるようになっている。液晶表示器４６（表示部）は、ケース２の長手方向において前方側に寄せた構成で配置されており、液晶表示器４６（表示部）の少なくとも大部分又は全部が長手方向中央位置よりも前側に配置されている。また、多数の操作ボタンとして構成される操作スイッチ４２がスイッチ配置領域に設けられており、スイッチ配置領域の少なくとも大部分又は全部が長手方向中央位置よりも後側に配置されている。
【００２９】
図４、図５のように、ケース２の幅は、前端部寄りの部分（特に液晶表示器４６（表示部）が設けられている前側領域）が広く、後端部寄りの部分（操作スイッチ４２が設けられている後側領域）が狭くなるように構成されている。ケース２の長手方向全体の平均幅をＷｓとしたとき、ケース２の前端部から所定位置（具体的には、長手方向中心位置よりもやや後ろ側の位置）まで、平均幅Ｗｓよりも幅の広い領域５が続き、この領域５に収まるように、或いは領域５に大部分が配されるように液晶表示器４６が設けられている。また、ケース２の後端部から所定位置（長手方向中心位置よりもやや後ろ側の位置）まで、平均幅Ｗｓよりも幅の狭い領域６が続いており、この領域６に収まるように、或いは領域６に大部分が配されるように操作スイッチ４２が設けられている。幅の狭い領域６は、領域５付近の部分において徐々に幅が広くなるように左右の端部が傾斜して構成されている。そして、領域６が使用者によって把持部として構成されている。即ち、情報コード読取装置１の一般的な使い方としては、液晶表示器４６をあまり覆わないように把持部として構成される領域６を把持しながら使用することが想定されている。
【００３０】
このように構成されるケース２の内部には、下面部２ｂと対向する位置にスピーカ４４（図３、図１１参照）が設けられている。このスピーカ４４は、「音発生部」の一例に相当するものであり、公知のスピーカとして構成されており、ブザー音やメロディ、或いはメッセージなどを発することができるように構成されている。なお、図１１では、スピーカ４４を一点鎖線にて概念的に示しているが、ケース２の内部に収容可能なサイズであれば、様々な形状のものを使用することができる。また、本実施形態では、ケース２の内部において、上下方向を厚さ方向とする構成且つ前後方向を長手方向とする構成で図示しない基板が配置されており、この基板の下面側に実装される構成でスピーカ４４が配置されていてもよく、この基板とケース２の間においてケース２の下面部２ｂに固定される構成でスピーカが４４配置されていてもよい。
【００３１】
図２、図５、図６、図１０、図１１等に示すように、スピーカ４４の下方側には、このスピーカ４４からの音をケース２の外部に放出するための放音部５０が形成されている。本実施形態では、上述したように、ケース２の厚さ方向の一方面側を上面側とし、他方面側を下面側としており、放音部５０は、ケース２の下面部２ｂにおいて読取口３よりも長手方向中央側の位置に、スピーカ４４からの音を放散し得るように設けられている。なお、図５等に示す例では、ケース２の長手方向における前方側の半分の領域において長手方向中心寄りに放音部５が設けられているが、例えば、ケース２の長手方向における後方側の半分の領域において長手方向中心寄りに放音部５が設けられていてもよい。
【００３２】
図１１に示すように、放音部５０は、ケース２内におけるスピーカ４４の収容領域とケース２の外部とを連通する構成をなし、且つケース２の下面側に開口端部６０ａが形成されてなる放音孔６０と、放音孔６０の開口端部６０ａよりも下方に突出した構成でリブ状に配される複数の突起部７０とを備えている。そして、複数の突起部７０の突起部７０間には、放音孔６０の開口端部６０ａからケース２の下面部２ｂに沿って延び且つ開口端部６０ａの下方から外れた位置で溝内外が連通する誘導溝９０が形成されている。
【００３３】
具体的には、図５、図１１に示すように、ケース２の下面部２ｂにおいて、放音部５０の周囲に隣接した構成で所定の基準外面を有する周囲部２ｚが設けられ、複数の突起部７０は周囲部２ｚの基準外面（周囲部２ｚの下面）よりも下側に突出した形態をなしている。周囲部２ｚは、複数の突起部７０の周囲に隣接する部分として外面（下面）が略平坦かつ略平滑面として構成されており、図１１のように、複数の突起部７０を構成する各突起部７１、７２、７３、７４がそれぞれ周囲部２ｚの下面を基準とする一定の高さで左右方向にリブ状かつ直線状に延びている。
【００３４】
複数の誘導溝９０の内、誘導溝９１は、直線状に延びる突起部７１、７２の間の溝として構成されており、これら突起部７１、７２の一端部から他端部に至るように左右方向に直線状に延びる溝として構成されている。また、誘導溝９１は、下方側（即ち、突起部７１の頂部と突起部７２の頂部の間）が開放すると共に、左右方向一端側及び他端側が周囲部２ｚの下面に沿って開放した形態をなしている。同様に、誘導溝９２は、直線状に延びる突起部７２、７３の間の溝として構成されており、これら突起部７２、７３の一端部から他端部に至るように左右方向に直線状に延びる溝として構成されている。また、誘導溝９２は、下方側（即ち、突起部７２の頂部と突起部７３の頂部の間）が開放すると共に、左右方向一端側及び他端側が周囲部２ｚの下面に沿って開放した形態をなしている。また、誘導溝９３は、直線状に延びる突起部７３、７４の間の溝として構成されており、これら突起部７３、７４の一端部から他端部に至るように左右方向に直線状に延びる溝として構成されている。また、誘導溝９３は、下方側（即ち、突起部７３の頂部と突起部７４の頂部の間）が開放すると共に、左右方向一端側及び他端側が周囲部２ｚの下面に沿って開放した形態をなしている。このように、各誘導溝９１、９２、９３は、下方側が開放した形態をなし、且つ左右方向の端部が両側方に向けて開放した形態をなしている。
【００３５】
そして、複数の突起部７０の各突起部間には、周囲部２ｚの下面（基準外面）よりも上方位置の段差面を有する段差部８０が溝状に形成されており、各段差部８０が各誘導溝９０の上側（底側）の一部を構成している。例えば、段差部８１は、突起部７１、７２の間において周囲部２ｚの下面よりも上方側に凹となり且つ左右方向に直線状に延びる長穴（上側に向けて掘られた穴）状の溝として構成され、下方側が開放した形態をなしている。この段差部８１の穴構造（溝構造）は、突起部７１、７２のそれぞれの一端部付近から他端部付近まで続いている。同様に、段差部８２は、突起部７２、７３の間において周囲部２ｚの下面よりも上方側に凹となり且つ左右方向に直線状に延びる長穴状の溝として構成され、下方側が開放した形態をなしている。この段差部８２の穴構造（溝構造）は、突起部７２、７３のそれぞれの一端部付近から他端部付近まで続いている。また、段差部８３は、突起部７３、７４の間において周囲部２ｚの下面よりも上方側に凹となり且つ左右方向に直線状に延びる長穴状の溝として構成され、下方側が開放した形態をなしている。この段差部８３の穴構造（溝構造）は、突起部７３、７４のそれぞれの一端部付近から他端部付近まで続いている。そして、各放音孔６０（放音孔６１、６２、６３、６４、６５、６６、６７）は、開口端部６０ａが段差部８０の内部に形成されている。例えば、放音孔６１、６２は、開口端部６１ａ、６２ａが段差部８１の内部（溝状に構成される底部（上面部））に形成されている。同様に、放音孔６３、６４は、開口端部６３ａ、６４ａが段差部８３の内部（溝状に構成される底部（上面部））に形成されている。また、放音孔６５、６６、６７は、開口端部６５ａ、６６ａ、６７ａが段差部８２の内部（溝状に構成される底部（上面部））に形成されている。そして、各放音孔６０の各開口端部６０ａは、誘導溝９０の溝方向に沿って長い長孔形状となっており、溝方向における開口端部６０ａの幅（左右方向両端までの長さ）は、誘導溝９０の溝幅（各誘導溝９０における前後方向の間隔）よりも大きくなっている。各誘導溝９０の溝幅は、一般の成人男性の人差し指や中指の指の幅よりも小さく構成されており、例えば、２ｍｍ程度となっている。
【００３６】
更に、本実施形態では、図６に示すように、ケース２における放音部５０よりも読取口３側において、放音部５０よりも下方位置に配される構造部２ｙが膨出形態で設けられている。具体的には、上面部２ａを基準としたときの上面部からの膨出量（厚さ）は、放音部５０の位置での膨出量（厚さ）よりも、放音部５０よりも前側の所定部分での膨出量（厚さ）の方が大きくなっており、放音部５０よりも前側の所定部分が下方側に凸となる形態で配されている。更に、ケース２の下面部２ｂにおいて放音部５０の周囲に設けられる上述の周囲部２ｚ（より詳しくは、周囲部２ｚにおいて各突起部７０の左右端に隣接する部分）は、前方側となるにつれて下位置となるように傾斜して設けられている。そして、このような下面部２ｂにおいて、複数の突起部７０がそれぞれ左右に延び、誘導溝９０が左右に延びた構成で設けられている。複数の突起部７０についても、図６のように前方側となるにつれて頂部が下方位置になるように構成されており、突起部７４よりも突起部７３の方が頂部が下位置であり、突起部７３よりも突起部７２の方が頂部が下位置であり、突起部７２よりも突起部７１の方が頂部が下位置となっている。
【００３７】
また、図１０に示すように、ケース２には、放音部５０の下方を覆う構成で、ハンドストラップ１００が着脱可能に設けられている。そして、ハンドストラップ１００は、長手方向（前後方向）における放音部５０よりも読取口３側において一端側がケース２に取り付けられ、長手方向における放音部５０よりも読取口３から離れた側において他端側がケース２に取り付けられる形態で長手状に構成されており、幅方向（左右方向）中心部付近において前後に延びたバンド形状となっている。より詳しくは、ハンドストラップ１００の他端側は、ケース２の後面部２ｄに連結されており、ハンドストラップ１００の一端側は、放音部５０よりも前方位置且つケース２の長手方向中央位置よりも前方位置においてケース２の下面部２ｄに連結されている。そして、帯状に構成されるハンドストラップ１００とケース２の下面部２ｂの間に手を挿入し、主としてケース２の後方側の領域を把持しつつ使用できるようになっている。このように構成されているため、ハンドストラップ２とケース２の間に手を挿入して把持した場合、無意識のうちに放音部５０の上方に指が配されることが想定されるが、上記特徴的な構成となっているため、各放音孔６０を塞がずに放音孔６０からの音を外部に逃がすことができるようになっている。
【００３８】
（第１実施形態の主な効果）
上記構成では、ケース２の下面部２ｂにおいて読取口３よりも長手方向中央側の位置に、スピーカ４４からの音を放散する放音部５０が形成されており、この放音部５０には、スピーカ４４の収容領域とケース２外部とを連通する構成をなし且つケース２の下面側に開口端部６０ａが形成されてなる放音孔６０が設けられている。このようにすると、ケース２の上面側等に放音部５０を設けずに済み、図１等に示すようにケース２の上面部側を他の機能部品（操作スイッチ４２や液晶表示器４６等）を配置するスペースとして利用できる。
【００３９】
更に、放音孔６０の開口端部６０ａよりも下方に突出した構成でリブ状に配される複数の突起部７０が設けられ、複数の突起部７０の突起部７０間には、放音孔６０の開口端部６０ａからケース２の下面部２ｂに沿って延び且つ開口端部６０ａの下方から外れた位置で溝内外が連通するように誘導溝９０が形成されている。この構成では、リブ状の突起部７０の頂部（突起部７０の下端部）よりも上方の奥まった位置に放音孔６０の開口端部６０ａが配置されるため、使用者が無意識にケース２を把持したとしても、使用者の指等が突起部７０の頂部付近に当たりやすく、使用者の指等によって放音孔６０が塞がれてしまうといった事態を回避しやすくなる。また、放音孔６０の開口端部６０ａからケース２の下面部２ｂに沿って延び且つ開口端部６０ａの下方から外れた位置で溝内外が連通するように誘導溝９０が形成されているため、使用者の指などが開口端部６０ａの下方位置に配されたとしても、放音孔６０からの音は誘導溝９０内を通り使用者の指から外れた位置で溝外に放出されるため、開口端部６０ａから放出された音が外部に抜けやすくなり、ひいては、スピーカ４４からの報知内容がユーザに聞こえやすくなる。
【００４０】
また、複数の突起部７０の起点となる基準外面よりも奥まった位置に溝状の段差部８０が構成され、この段差部８０内に放音孔６０の開口端部６０ａが配置されているため、ケース２を把持する使用者の指等が放音孔６０の開口端部６０ａの位置まで一層届きにくくなり、使用者の指等が放音孔６０を塞ぐ可能性が一層低くなる。
【００４１】
また、上記構成では、放音部５０よりも読取口３側において下方側に膨出する構造部２ｙが設けられているが、このような構成では、放音部５０からの音をケース２下面部２ｂに沿って読取口３側に抜けさせようとした場合（即ち、誘導溝を前後方向に構成した場合）、音の放散が構造部２ｙによって阻害され、下方側（ユーザの耳から遠ざかる側）に向かってしまう虞がある。しかしながら、上記構成のように、複数の突起部７０を左右方向に延びるように構成し、誘導溝９０を左右に延びる構成とすると、放音孔６０から放出される音が構造部２ｙに阻害されずに誘導溝９０内を通って側方に回り込みやすくなり、よりユーザ側の耳に届きやすくなる。
【００４２】
また、上記構成では、ケース２の下面部２ｂの所定部分（周囲部２ｚ付近）が前方側となるにつれて下位置となるように傾斜している。このような構成においてその所定部分（周囲部２ｚ付近の傾斜部）に放音部５０を配置すると、デットスペースになりやすい傾斜部を効率的に利用することができるが、その反面、所定部分（周囲部２ｚ付近の傾斜部）に設けられる誘導溝９０が周囲部２ｚの傾斜の影響を受けやすくなるという問題がある。例えば、誘導溝９０の方向を前後方向とすると、誘導溝９０の溝方向も前方側となるにつれて下位置となるように傾斜することになり、誘導溝９０によって導かれる音（音発生手段からの音）が前方且つ下方に逃げやすくなってしまう。つまり、装置を把持して使用するユーザの顔から遠ざかる方向に音が逃げやすくなり、音が聞こえにくくなってしまう。これに対し、上記構成のように、誘導溝９０を左右に延びた構成とすることで、放音孔６０から放出される音が誘導溝９０内を通って側方に回り込みやすくなり、よりユーザ側の耳に届きやすくなる。
【００４３】
また、上記構成では、放音孔６０の開口端部６０ａは、誘導溝９０の溝方向に沿って長い長孔形状となっており、溝方向における開口端部６０ａの幅は、誘導溝９０の溝幅よりも大きくなっている。放音孔６０の開口を単純な円形とすると放音孔６０の開口サイズは誘導溝９０の溝幅によって制約されてしまうことになるが、上記のように構成することで、放音孔６０の開口サイズをより大きくすることができ、低音域の音を伝達する上で有利になる。特に、情報コードQ読取装置は、工場や店など、周囲がうるさく聞き取りにくい場所で使用されることも多いため、よく響く低音域の音を効率的に伝達しうる構成とすると、ユーザが報知内容を把握する上で非常に有利になる。
【００４４】
また、図１０のようにケース２の下面部２ｂにハンドストラップ１００を設けると、ユーザがケース２をより把持しやすくなり、誤って装置を落下させてしまう事態も抑えることができる。そして、上記構成では、このようにハンドストラップ１００を利用する構成において、放音部５０とハンドストラップ１００を敢えてずらして配置する必要がなく（即ち、ハンドストラップ１００に隠される位置であっても放音部５０を配置することができ）、ハンドストラップ１００の上方に隠される領域をデットスペースとすることなく放音部５０を効率的に配置することができる。一方、このように構成すると、ケース２の下面部２ｂとハンドストラップ１００との間に挿入される手（ユーザの手）による音の遮断が懸念されるが、上記構成では、複数の突起部７０及び誘導溝９０の存在により、放音孔６０を極力塞ぐことなく音をケース２外に放散することができるため、上述のスペース的なメリットを享受しつつ音の遮断を抑えうる構成を実現できる。
【００４５】
［他の実施形態]
本発明は上記記述及び図面によって説明した実施形態に限定されるものではなく、例えば次のような実施形態も本発明の技術的範囲に含まれる。
【００４６】
上記実施形態では、放音孔６０の開口端部６０ａが下方側から見て略楕円形状の長孔となる例を示したが、下方側から見て円形の形状であってもよい。
【００４７】
上記実施形態では、ハンドストラップ１００を用いる例を示したが、ハンドストラップ１００を用いない構造であってもよい。
【００４８】
上記実施形態では、放音部５０が長手方向中央よりもやや前方寄りに形成された例を示したが、この位置よりも前方寄りに配置されていてもよく、後方寄りに配置されていてもよい。
【符号の説明】
【００４９】
１…情報コード読取装置
２…ケース
２ｂ…下面部
２ｙ…構造部
２ｚ…周囲部
３…読取口
２３…受光センサ（撮像手段）
４０…制御回路（読取手段）
４４…スピーカ（音発生部）
５０…放音部
６０…放音孔
６０ａ…開口端部
７０…突起部
８０…段差部
９０…誘導溝
１００…ハンドストラップ
Ｑ…情報コード
【図１】
2014006724.tif 000003
【図２】
2014006724.tif 000004
【図３】
2014006724.tif 000005
【図４】
2014006724.tif 000006
【図５】
2014006724.tif 000007
【図６】
2014006724.tif 000008
【図７】
2014006724.tif 000009
【図８】
2014006724.tif 000010
【図９】
2014006724.tif 000011
【図１０】
2014006724.tif 000012
【図１１】
2014006724.tif 000013